(57)【要約】【課題】  コストを増加させることなく熱交換器の風量分布を均一化し、熱交換効率の良い熱交換器を搭載した安価な冷凍空調機の室外ユニットを提供する。【解決手段】  冷凍空調機の室外ユニット１０は、圧縮機１１と１の熱交換器１２と送風機１３と回転機１４と筐体１５とを備える。圧縮機１１は、冷媒を圧縮させる。熱交換器１２は、伝熱管１６と、伝熱管１６に接続され、伝熱管１６の延在方向と交差するように連続して延在方向に沿って１列に整列された複数のフィン１７、１８とを備えた複数の部分を含む。回転機１４は、送風機１３を回転させる。筐体１５は、圧縮機１１と熱交換器１２と送風機１３と回転機１４とを納める。熱交換器１２に送風機１３から送られてくる外気の部分毎の風量に応じて、相対的に風量の小さな部分におけるフィン１８の間隔は、相対的に風量の大きな部分におけるフィン１７の間隔より大きくしている。【選択図】        図１
2006336935.tif 000002
【特許請求の範囲】
【請求項１】
冷媒を圧縮させる圧縮機と、
伝熱管と、前記伝熱管に接続され、前記伝熱管の延在方向と交差するように連続して前記延在方向に沿って１列に整列された複数のフィンとを備えた、複数の部分を含む１の熱交換器と、
送風機と、
前記送風機を回転させる回転機と、
前記圧縮機と、前記熱交換器と、前記送風機と、前記回転機とを納める筐体とを備え、
前記熱交換器に前記送風機から送られてくる外気の前記部分毎の風量に応じて、相対的に風量の小さな前記部分における前記フィンの間隔は、相対的に風量の大きな前記部分における前記フィンの間隔より大きくしていることを特徴とする、冷凍空調機の室外ユニット。
【請求項２】
前記熱交換器の外観が略Ｌ字状であり、
前記熱交換器の略Ｌ字状に曲げた部分における前記フィンの間隔が、前記熱交換器において前記曲げた部分以外の部分のうち前記送風機の前面に位置する部分の前記フィンの間隔と実質的に同一、またはそれ以上であることを特徴とする、請求項１に記載の冷凍空調機の室外ユニット。
【請求項３】
前記筐体の背面部に外気の吸込み口を、前面部に熱交換された外気の吹出し口を設け、
前記熱交換器は前記吸込み口に沿うように延在され、
前記圧縮機および前記送風機は、前記熱交換器に対向させて並べられ、
前記圧縮機に対向している前記熱交換器の前記部分は、前記熱交換器における前記送風機に対向している前記部分の前記フィンの間隔よりも、フィンの間隔が広くなっている領域を含む、請求項１に記載の冷凍空調機の室外ユニット。
【請求項４】
前記筐体の背面部およびいずれか一方の側面部に外気の吸込み口を、前面部に熱交換された外気の吹出し口を設け、
前記熱交換器は、前記吸込み口に沿うように略Ｌ字状に延在され、
前記圧縮機および前記送風機は、前記熱交換器において前記背面部の吸込み口に沿うように延在されている部分に対向させて並べられ、
前記圧縮機に対向している前記熱交換器の前記部分、および前記熱交換器の略Ｌ字状に曲げた部分は、前記熱交換器における前記送風機に対向している部分の前記フィンの間隔よりも、フィンの間隔が広くなっている領域を含む、請求項１に記載の冷凍空調機の室外ユニット。
【発明の詳細な説明】
【技術分野】
【０００１】
本発明は冷凍空調機の室外ユニットに関し、より特定的には、風量分布の均一な冷凍空調機の室外ユニットに関するものである。
【背景技術】
【０００２】
従来、冷凍空調機の室外ユニットでは、熱交換能力の増大化のため熱交換器の容量を大きくしている。熱交換器を大きくすると熱交換器を通過する外気の風量分布も拡大し、風量が小さい部分では外気とフィン表面の熱伝達率が低下し熱交換効率が低下するのでフィンの積層間隔を大きくしている。そのため、伝熱管の外径を小さくした別の熱交換器を並列させることにより、または２つの熱交換器を用いてそれぞれの熱交換器において異なるフィンピッチとして通風抵抗を低減することにより、熱交換効率の低下を抑制している。このような室外ユニットは、たとえば、特開平８−２７０９８５号公報に開示されている。
【特許文献１】特開平８−２７０９８５号公報
【発明の開示】
【発明が解決しようとする課題】
【０００３】
上記文献に開示された室外ユニットは、吹出し口と、外気吸込み口と、室外熱交換器と、室外送風機とを備えている。室外熱交換器は、背面部と側面部の外気吸込み口に対向するよう平面視で折り曲げ形成される第１の熱交換器と、第１熱交換器における熱交換空気の上流側で、かつ第１の熱交換器における背面部の外気吸込み口に沿う直状部分に平行で、平面視で直状に形成される第２の熱交換器とを備えている。第１の熱交換器を構成する熱交換パイプの直径は、第２の熱交換器を構成する熱交換パイプの直径よりも大にしている。また、第１熱交換器のフィンピッチは第２のフィンピッチよりも細かく設定している。このように、二組の熱交換器を有しているため、熱交換量が増大される。また、二組の熱交換器の直径およびフィンピッチが異なるため、通風抵抗が抑制されている。
【０００４】
しかしながら、上記文献に開示された室外ユニットは、送風機から離れたところであっても筐体内の限られたスペースに熱交換器を増設する必要があるので、熱交換器を通過する風量の分布がばらつき、風量の小さい部分は熱伝達率が小さくなり、増加させた熱交換器の伝熱面積に応じた熱交換能力が得られないという問題があった。また、所望の熱交換能力を得るためには熱交換器を拡大する必要があり、コストが増加するといった問題があった。
【０００５】
この発明は、上記のような課題を解決するためになされたものであり、この発明の目的は、コストを増加させることなく熱交換器の風量分布を均一化し、熱交換効率の良い熱交換器を搭載した安価な冷凍空調機の室外ユニットを得ることを目的としている。
【課題を解決するための手段】
【０００６】
この発明にしたがった冷凍空調機の室外ユニットは、圧縮機と、１の熱交換器と、送風機と、回転機と、筐体とを備える。圧縮機は、冷媒を圧縮させる。１の熱交換器は、伝熱管と、伝熱管に接続され、伝熱管の延在方向と交差するように連続して延在方向に沿って１列に整列された複数のフィンとを備えた、複数の部分を含む。回転機は、送風機を回転させる。筐体は、圧縮機と、熱交換器と、送風機と、回転機とを納める。熱交換器に送風機から送られてくる外気の部分毎の風量に応じて、相対的に風量の小さな前記部分における前記フィンの間隔は、相対的に風量の大きな前記部分における前記フィンの間隔より大きくしていることを特徴としている。
【発明の効果】
【０００７】
このように、本発明によれば、相対的に風量の小さな部分におけるフィンの間隔は、相対的に風量の大きな部分におけるフィンの間隔より大きくなるようにフィンを配置することにより、熱交換器の風量分布の不均一を解消することができ、フィンの枚数を削減してコストの低減を図ることができる。
【発明を実施するための最良の形態】
【０００８】
以下、図面に基づいて本発明の実施の形態を説明する。なお、以下の図面において同一または相当する部分には同一の参照番号を付しその説明は繰返さない。
【０００９】
（実施の形態１）
図１は、本発明の実施の形態１における冷凍空調機の室外ユニットを示す概略上面図である。図１を参照して、実施の形態１における冷凍空調機の室外ユニットを説明する。実施の形態１における冷凍空調機の室外ユニット１０は、たとえば、図１に示すように、圧縮機１１と、１の熱交換器１２と、送風機１３と、回転機１４と、筐体１５とを備える。圧縮機１１は、冷媒を圧縮させ、冷媒回路内を循環させる。熱交換器１２は、伝熱管１６と、伝熱管１６に接続され、伝熱管１６の延在方向と交差するように連続して延在方向に沿って１列に整列された複数のフィン１７、１８とを備えた、複数の部分を含む。熱交換器１２は、外気と冷媒との熱交換を行なう。送風機１３は、熱交換器１２に外気を送る。回転機１４は、送風機１３を回転させる。筐体１５は、圧縮機１１と、熱交換器１２と、送風機１３と、回転機１４とを納める。熱交換器１２に送風機１３から送られてくる外気の部分毎の風量に応じて、相対的に風量の小さな部分におけるフィン１８の間隔は、相対的に風量の大きな部分におけるフィン１７の間隔より大きくしていることを特徴としている。
【００１０】
詳細には、冷凍空調機の室外ユニット１０は、筐体１５の背面部に外気の吸込み口を、前面部に熱交換された外気の吹出し口を設けている。熱交換器１２は、吸込み口に沿うように延在されている。圧縮機１１および送風機１３は、熱交換器１２に対向させて並べられている。圧縮機１１に対向している熱交換器１２の部分は、送風機１３の中心から離れているので、その部分の風量は送風機１３に対向している部分に比べて少ない。具体的には、熱交換器１２における領域Ｆp17は領域Ｆp18よりも風量が大きい。そのため、領域Ｆp17のフィン１７は、領域Ｆp18のフィン１８よりもフィンの間隔を狭くしている。図１に示すように、圧縮機１１に対向している熱交換器１２の部分は、熱交換器１２における送風機１３に対向している部分のフィンの間隔よりも、フィンの間隔が広くなっている領域Ｆp18を含んでいる。
【００１１】
実施の形態１では、熱交換器１２は、平行に配置した複数の伝熱管１６と伝熱管１６に対して直交する多数のフィン１７、１８を備えている。熱交換器１２は、伝熱管１６を流通する冷媒と、フィン１７の間の空気流通路を流通する外気との間で熱交換を行い、蒸発器あるいは凝縮器として作用している。
【００１２】
図２（Ａ）は熱交換器１２の拡大図である。図２（Ａ）を参照して、実施の形態１における冷凍空調機の室外ユニットに搭載している熱交換器１２が有しているフィンの間隔の配置を説明する。実施の形態１では、領域Ｆp17におけるフィン１７はフィンピッチを１．３ｍｍとし、圧縮機１１に対向している領域Ｆp18におけるフィン１８のフィンピッチを１．４ｍｍとしている。なお、フィンピッチとは、積層方向に隣接するフィンの中心間の距離を意味し、たとえば図２（Ｂ）に示すＰをフィンピッチとしている。
【００１３】
次に、フィン１７、１８と伝熱管１６との接続について説明する。図２（Ｂ）は、図２（Ａ）における領域Ｒの拡大断面図である。図２（Ｂ）を参照して、実施の形態１では、フィン１７は伝熱管１６を貫通させる穴を有している。その穴には、バーリングで形成したフィンカラー１９が設けられている。フィンカラー１９の高さ（図２（Ｂ）において横方向での長さ）によりフィン１７の積層間隔が保持されている。同様に、フィン１８についてもフィンカラーを設けている。そして、領域Ｆp18のフィン１８を伝熱管１６（銅管）に挿入した後、領域Ｆp17のフィン１７を伝熱管１６に挿入し、伝熱管１６を拡管してフィンを銅管にかしめて固着している。このようにして、フィン１７、１８と伝熱管１６とを接続している。なお、図２（Ｂ）は、伝熱管１６を拡管する前の状態を示す図である。
【００１４】
次に、実施の形態１における冷凍空調機の室外ユニット１０の性能について説明する。実施の形態１の冷凍空調機の室外ユニット１０は、たとえば、熱交換器１２全体の積層長さを６００ｍｍとする。
【００１５】
まず、本発明の範囲外であるフィンピッチが均一のフィンを有する熱交換器からなる冷凍空調機の室外ユニットについて説明する。なお、フィンピッチが均一である点以外の構成は、実施の形態１における冷凍空調機の室外ユニット１０の構成と同様である。たとえば、熱交換器におけるフィンのフィンピッチを１．３ｍｍとすると、熱交換器に備えられるフィンの総枚数は４６１枚である。ファンの中心を熱交換器の左端から２００ｍｍの位置に配置してファンを動作させると、熱交換器の右端から１２０ｍｍの範囲、すなわちフィン９２枚分に流れる空気流速Ｖは、それ以外の部分に流れる空気流速の１／３となった。フィン表面の熱伝達率αoは空気流速Ｖの０．３６乗に比例するので、熱交換器の右端から１２０ｍｍの範囲の熱伝達率αoは、それ以外の部分と比べて約３３％低下していることになる。熱交換器全体では、熱伝達率αoallは６％低下していることになる。なお、熱交換器の右端から１２０ｍｍの範囲は、送風機１３から遠いので風量が少ない部分である。
【００１６】
一方、本発明の範囲内である実施の形態１における冷凍空調機の室外ユニット１０は、領域Ｆp18を熱交換器１２の右端から１２０ｍｍの範囲とし、領域Ｆp18ではフィン１８のフィンピッチを１．４ｍｍに広げている。すなわち、熱交換器１２は、領域Ｆp18においてフィン１８を８６枚有している。これにより、領域Ｆp18の範囲では、圧力損失が低下して空気流速Ｖが大きくなったため、上述したフィンピッチが均一のフィンを有する熱交換器より領域Ｆp18の熱伝達率αoは３％向上した。
【００１７】
次に、熱交換器の能力の判断基準について説明する。熱交換器の能力は熱伝達率αとフィンの表面積Ａの積算値で表される。フィンの形状を幅が２２ｍｍ、長さが５００ｍｍの長方形とする。上述の本発明の範囲外であるフィンピッチが均一のフィンを有する熱交換器からなる冷凍空調機の室外ユニットにおいて、フィンピッチを１．３ｍｍとした場合のフィンの表面積は、２２ｍｍ×５００ｍｍ×４６１枚＝５．０７ｍ2となる。この場合、熱伝達率αoallの増減を比率で表すと、（３６９／４６１×１)＋（９２／４６１×（１−０．６７））＝０．９３４となり、Ａα値は４．７３５となる。
【００１８】
一方、本発明の範囲内である実施の形態１における冷凍空調機の室外ユニット１０において、熱交換器１２の右端から１２０ｍｍの範囲である領域Ｆp18におけるフィン１８のフィンピッチを１．４ｍｍとすると、領域Ｆp18のフィン１８の数は８６枚となる。表面積Ａは、２２ｍｍ×５００ｍｍ×（４６１−（９２−８６））枚＝５．００５ｍ2であり、熱伝達率αoallは、（３６９／４５５×１）＋（８６／４５５×（０．６７＋０．０３））＝０．９４３となる。よって、Ａα値は４．７２０となる。Ａα値の差は約０．３％程度で同等の能力とみなすことができる範囲となった。そのため、冷凍空調機の室外ユニット１０は、フィン１８の数を減らしても性能に問題は生じなかった。
【００１９】
なお、実施の形態１における冷凍空調機の室外ユニット１０は、上記の形状に特に限定されない。たとえば、送風機１３の回転数および大きさで決まるファン入力に依存する熱交換器の性能により、フィンピッチ等を設計することができる。
【００２０】
また、それぞれの部分でのフィンピッチは、１．３ｍｍ以上１．７ｍｍ以下が好ましい。フィンピッチが１．３ｍｍよりも狭いと圧力損失が大きくなるからである。また、フィンピッチが１．７ｍｍよりも大きいとフィンの表面積が減少して熱交換器の性能低下となるからである。また、フィンピッチを広げる割合は、元のフィンピッチの７％以上３１％以下が好ましい。この範囲外とすると、フィンカラーの製造に問題が生じるからである。
【００２１】
以上説明したように、実施の形態１の冷凍空調機の室外ユニット１０によれば、圧縮機１１と、伝熱管１６と伝熱管１６に接続され、伝熱管１６の延在方向と交差するように連続して延在方向に沿って１列に整列された複数のフィン１７、１８とを備えた、複数の部分を含む１の熱交換器１２と、送風機１３と、回転機１４と、筐体１５とを備え、熱交換器１２に送風機１３から送られてくる外気の部分毎の風量に応じて、相対的に風量の小さな部分におけるフィン１８の間隔は、相対的に風量の大きな部分におけるフィン１７の間隔より大きくしている。そのため、フィンピッチが広い領域Ｆp18の範囲での通風抵抗は小さくなり、外気の風量が増加する。よって、風量が増加することにより、フィン１８の枚数を減少させても、フィン１８の表面と外気との熱伝達率αoを向上させ、熱交換器１２全体として熱交換効率を維持することができる。
【００２２】
また、冷凍空調機の室外ユニット１０は、１の熱交換器１２を有すると共に、熱交換器１２において相対的に風量の小さな部分におけるフィン１８の間隔は、相対的に風量の大きな部分におけるフィン１７の間隔より大きくしている。そのため、熱交換器１２の風量分布は均一となると共に、フィン１８を有する領域Ｆp18の範囲におけるフィン１８の枚数を削減することができる。よって、性能を維持できると共に、冷凍空調機の室外ユニット１０を製造するのに必要なコストを低減することができる。
【００２３】
さらに、筐体１５の背面部に外気の吸込み口を、前面部に熱交換された外気の吹出し口を設け、熱交換器１２は吸込み口に沿うように延在され、圧縮機１１および送風機１３は、熱交換器１２に対向させて並べられ、圧縮機１１に対向している熱交換器１２の部分は、熱交換器１２における送風機１３に対向している部分のフィンの間隔よりも、フィンの間隔が広くなっている領域Ｆp18を含んでいる。そのため、熱交換器１２の風量分布の不均一を解消することができる。また、フィンの枚数を削減してコストの低減を図ることができる。
【００２４】
（実施の形態２）
図３は、本発明の実施の形態２における冷凍空調機の室外ユニットを示す概略上面図である。図３を参照して、実施の形態２における冷凍空調機の室外ユニットを説明する。実施の形態２における冷凍空調機の室外ユニット２０は、基本的には図１に示した本発明の実施の形態１における冷凍空調機の室外ユニット１０と同様の構成を備えるが、熱交換器２２の外観が略Ｌ字状である点において図１に示した冷凍空調機の室外ユニット１０と異なる。
【００２５】
具体的には、図３を参照して、熱交換器２２の外観が略Ｌ字状であり、熱交換器２２の略Ｌ字状に曲げた部分におけるフィン２８の間隔が、熱交換器２２において曲げた部分以外の部分で、送風機１３の前面に位置する部分のフィン１８の間隔と実質的に同一、またはそれ以上である。
【００２６】
より詳細には、筐体１５の背面部およびいずれか一方の側面部に外気の吸込み口を、前面部に熱交換された外気の吹出し口を設けている。熱交換器２２は、吸込み口に沿うように略Ｌ字状に延在されている。圧縮機１１および送風機１３は、熱交換器１２において背面部の吸込み口に沿うように延在されている部分に対向させて並べられている。圧縮機１１に対向している熱交換器２２の部分、および熱交換器２２の略Ｌ字状に曲げた部分は、熱交換器２２における送風機１３に対向している部分のフィン１７の間隔よりも、フィン１８、２８の間隔が広くなっている領域Ｆp18、Ｆp28を含んでいる。
【００２７】
送風機１３は、外気を取り込んで熱交換器２２に送る。熱交換器２２において、冷媒と、フィン１７、１８、２７、２８の間を流通する外気とを熱交換させる。熱交換器２２は、上記形状としているため、実施の形態１における冷凍空調機の室外ユニット１０の熱交換器１２と比較して、フィン１７、１８、２７、２８の表面積が増加している。略Ｌ字状に曲げた部分のフィン２８の曲げ半径の内側では、フィン２８先端の積層間隔が幾何学上小さくなる。そのため、フィン１７の積層間隔に対して狭くなるので通風抵抗が増加し、この部分の風量は低下する。また、圧縮機１１に対向している熱交換器２２の風量低下は、実施の形態１で述べたのと同様である。
【００２８】
図４は、熱交換器２２の拡大図である。図４を参照して、実施の形態２における冷凍空調機の室外ユニットに搭載している熱交換器２２が有しているフィンの間隔の配置を説明する。実施の形態２では、領域Ｆp17におけるフィン１７はフィンピッチを１．３ｍｍとし、圧縮機１１に対向している部分に含まれる領域Ｆp18におけるフィン１８のフィンピッチを１．４ｍｍとしている。略Ｌ字状に曲げた部分である領域Ｆp28におけるフィン２８のフィンピッチを１．４ｍｍとしている。筐体１５の側面と対向している領域Ｆp27におけるフィン２７のフィンピッチを１．３ｍｍとしている。なお、フィン２８の内周側の先端のフィンピッチは１．３ｍｍとしている。
【００２９】
また、フィン１７、１８、２７、２８と伝熱管１６との接続についても、実施の形態１と同様である。具体的には、フィン１７、１８、２７、２８は伝熱管１６を貫通させる穴を有している。その穴には、バーリングで形成したフィンカラーが設けられている。フィンカラーの高さによりフィン１７、１８、２７、２８の積層間隔が保持されている。そして、領域Ｆp18のフィン１８を銅管に挿入した後、領域Ｆp17のフィン１７、領域Ｆp28のフィン２８、領域Ｆp27のフィン２７を順次、伝熱管１６（銅管）に挿入し、伝熱管１６を拡管してフィンを伝熱管１６にかしめて固着している。このようにして、フィン１７、１８、２７、２８と伝熱管１６とを接続している。
【００３０】
次に、実施の形態２における冷凍空調機の室外ユニット２０の性能について説明する。実施の形態１における冷凍空調機の室外ユニット２０は、たとえば、熱交換器２２全体の積層長さを８００ｍｍとする。
【００３１】
まず、本発明の範囲外であるフィンピッチが均一のフィンを有する熱交換器からなる冷凍空調機の室外ユニットについて説明する。たとえば、熱交換器におけるフィンのフィンピッチを１．３ｍｍとすると、熱交換器に備えられるフィンの総枚数は６１５枚である。ファンの中心を左端から２００ｍｍの位置に配置して送風機１３を動作させると、熱交換器の右端から１２０ｍｍの範囲に設けられている９２枚のフィンおよびＬ字状に曲げた１４３ｍｍの範囲に設けられている１１０枚のフィンに流れる空気流速Ｖは、それ以外の部分に流れる空気流速の１／３となった。
【００３２】
フィン表面の熱伝達率αoは、空気流速Ｖの０．３６乗に比例するので、熱交換器の右から１２０ｍｍの範囲およびＬ字状に曲げた１４３ｍｍの範囲の熱伝達率αoは、それ以外の部分と比べて約３３％低下していることになる。熱交換器全体では、熱伝達率αoallは（（４１３／６１５×１）＋（２０２／６１５×０．６７））＝０．９０１となり、約１０％低下していることになる。なお、熱交換器の右から１２０ｍｍの範囲は、ファンから遠いので風量が少ない部分である。Ｌ字状に曲げた１４３ｍｍの範囲は、フィンの内周側（送風機１３および回転機１４と対向している側）の先端のフィンピッチが幾何学上狭くなっていることから風路断面積が縮小している。
【００３３】
一方、本発明の範囲内である実施の形態２における冷凍空調機の室外ユニット２０は、領域Ｆp18を熱交換器２２の右端から１２０ｍｍの範囲とし、領域Ｆp18では、フィン１８の積層間隔であるフィンピッチを１．４ｍｍに広げている。すなわち、熱交換器１２は、領域Ｆp18においてフィン１８を８６枚有している。また、領域Ｆp28をＬ字状に曲げた１４３ｍｍの範囲とし、領域Ｆp28ではフィン２８の積層間隔であるフィンピッチを１．４ｍｍに広げている。これにより、領域Ｆp18の範囲では圧力損失が低下して空気流速Ｖが大きくなり、領域Ｆp28の範囲では、風路断面積が拡大された。その結果、領域Ｆp18および領域Ｆp28の熱伝達率αoは、上述したフィンピッチが均一のフィンを有する熱交換器より５％向上した。
【００３４】
次に、熱交換器の能力の判断基準について説明する。熱交換器の能力は熱伝達率αとフィンの表面積Ａの積算値で表される。フィンの形状を幅が２２ｍｍ、長さが５００ｍｍの長方形とする。上述の本発明の範囲外であるフィンピッチが均一のフィンを有する熱交換器からなる冷凍空調機の室外ユニットにおいて、フィンピッチを１．３ｍｍとした場合のフィンの表面積は、２２ｍｍ×５００ｍｍ×６１５枚＝６．７７ｍ2となる。この場合、熱伝達率αoallの増減を比率で表すと、（４１３／６１５×１)＋（（９２＋１１０）／６１５×０．６７）＝０．８９２となり、Ａα値は６．０３９となる。
【００３５】
一方、本発明の範囲内である実施の形態２における冷凍空調機の室外ユニット２０は、熱交換器２２の右から１２０ｍｍの範囲およびＬ字状に曲げた１４３ｍｍの範囲におけるフィン１８のフィンピッチを１．４ｍｍとすると、この範囲のフィン１８の数はそれぞれ８６枚、１１０枚となり、合計２６３枚である。表面積Ａは、２２ｍｍ×５００ｍｍ×（６１５−（２０２−１８７））枚＝６．６０ｍ2である。熱伝達率αoallは、（４１３／６００×１）＋（１８７／６００×（０．６７＋０．０５））＝０．９１３となる。よって、Ａα値は６．０２６となる。Ａα値の差は約０．２％程度で同等の能力とみなすことができる範囲となった。そのため、冷凍空調機の室外ユニット２０は、フィン１８、２８の数を減らしても性能に問題は生じなかった。
【００３６】
また、実施の形態２における冷凍空調機の室外ユニット２０は、実施の形態１における冷凍空調機の室外ユニット１０と比較して、フィンの表面積を増加させているので、性能の評価指数であるＡαが大きくなった。
【００３７】
なお、実施の形態２における冷凍空調機の室外ユニット２０は、上記の形状に特に限定されない。たとえば、送風機１３の回転数および大きさで決まるファン入力に依存する熱交換器の性能により、フィンピッチ等を設計することができる。
【００３８】
また、それぞれの部分でのフィンピッチは、１．３ｍｍ以上１．７ｍｍ以下が好ましい。フィンピッチが１．３ｍｍよりも狭いと圧力損失が大きくなるからである。また、フィンピッチが１．７ｍｍよりも大きいと表面積が減少して熱交換器の性能低下となるからである。また、フィンピッチを広げる割合は、元のフィンピッチの７％以上３１％以下が好ましい。この範囲外とすると、製造に問題が生じるからである。
【００３９】
以上説明したように、実施の形態２の冷凍空調機の室外ユニット２０によれば、熱交換器２２の外観が略Ｌ字状であり、熱交換器２２の略Ｌ字状に曲げた部分におけるフィン２８の間隔が、熱交換器２２において曲げた部分以外の部分のうち送風機１３の前面に位置する部分のフィン１７の間隔と実質的に同一、またはそれ以上としている。そのため、フィン２８の内周側の先端のフィンピッチを広くすることができ、風路断面積を拡大している。よって、通風抵抗が増加しないため、風量低下を抑制する。その結果、フィン２８の枚数を減少させても、熱交換器２２全体の熱交換効率を維持することができる。
【００４０】
また、熱交換器２２の外観を略Ｌ字状としている。そのため、熱交換器１２と比較してフィン１７、１８、２７、２８の表面積が増加する。よって、冷凍空調機の室外ユニット２０は、さらに高性能化を図ることができる。
【００４１】
さらに、１の熱交換器２２を有すると共に、フィン１８、２８の数を減少させている。よって、冷凍空調機の室外ユニット２０を製造するのに必要なコストを低減することができる。
【００４２】
さらには、筐体１５の背面部およびいずれか一方の側面部に外気の吸込み口を、前面部に熱交換された外気の吹出し口を設け、熱交換器２２は、吸込み口に沿うように略Ｌ字状に延在され、圧縮機１１および送風機１３は、熱交換器２２において背面部の吸込み口に沿うように延在されている部分に対向させて並べられ、圧縮機１１に対向している熱交換器２２の部分、および熱交換器２２の略Ｌ字状に曲げた部分は、熱交換器２２における送風機１３に対向している部分のフィン１７の間隔よりも、フィンの間隔が広くなっている領域Ｆp28を含んでいる。そのため、熱交換器２２の風量分布の不均一を解消することができる。また、フィンの枚数を削減してコストの低減を図ることができる。
【００４３】
今回開示された実施の形態はすべての点で例示であって制限的なものではないと考えられるべきである。本発明の範囲は上記した実施の形態ではなくて特許請求の範囲によって示され、特許請求の範囲と均等の意味および範囲内でのすべての変更が含まれることが意図される。
【図面の簡単な説明】
【００４４】
【図１】本発明の実施の形態１における冷凍空調機の室外ユニットを示す概略上面図である。
【図２】（Ａ）は、本発明の実施の形態１における冷凍空調機の室外ユニットに搭載している熱交換器の拡大図であり、（Ｂ）は、図２（Ａ）における領域Ｒの拡大断図である。
【図３】本発明の実施の形態２における冷凍空調機の室外ユニットを示す概略上面図である。
【図４】本発明の実施の形態２における冷凍空調機の室外ユニットに搭載している熱交換器の拡大図である。
【符号の説明】
【００４５】
１０，２０  室外ユニット、１１  圧縮機、１２  熱交換器、１３  送風機、１４  回転機、１５  筐体、１６  伝熱管、１７，１８，２７，２８  フィン、１９  フィンカラー、２２  熱交換器、Ｆp17，Ｆp18，Ｆp27，Ｆp28  領域。
【図１】
2006336935.tif 000003
【図２】
2006336935.tif 000004
【図３】
2006336935.tif 000005
【図４】
2006336935.tif 000006